(57)【要約】【課題】外窓と内窓を備えた二重窓の構成が複雑になるのを抑制しつつ、二重窓の遮音性を向上させる。【解決手段】外窓２は、樹脂製の外枠２０と、外障子３０を有する。外障子３０は、樹脂製の外框４０により外パネル体３１を囲んだ状態で、外枠２０の開口部２５に配置される。内窓３は、樹脂製の内枠５０と、内障子６０を有する。内障子６０は、樹脂製の内框７０により内パネル体６１を囲んだ状態で、内枠５０の開口部５５に配置される。二重窓１は、ＪＩＳ  Ａ４７０６：２０１５に準拠する遮音等級Ｔ−３等級に合格する。【選択図】  図１
2017218745.tif 000002
【特許請求の範囲】
【請求項１】
外窓と内窓を備えた二重窓であって、
前記外窓は、樹脂製の外枠と、樹脂製の外框により外パネル体を囲んだ状態で前記外枠の開口部に配置される外障子と、を有し、
前記内窓は、樹脂製の内枠と、樹脂製の内框により内パネル体を囲んだ状態で前記内枠の開口部に配置される内障子と、を有し、
ＪＩＳ  Ａ４７０６：２０１５に準拠する遮音等級Ｔ−３等級に合格する二重窓。
【請求項２】
請求項１に記載された二重窓において、
前記外パネル体と前記内パネル体の一方は、厚さの差が２ｍｍ以上の２枚のガラス板を有する複層ガラスであり、
前記外パネル体と前記内パネル体の他方は、厚さが３ｍｍ以上の１枚のガラス板であり、
ＪＩＳ  Ａ４７０６：２０１５に準拠する遮音等級Ｔ−４等級に合格する二重窓。
【請求項３】
請求項２に記載された二重窓において、
前記外パネル体と前記内パネル体の間隔は、１５０ｍｍ以上である二重窓。
【発明の詳細な説明】
【技術分野】
【０００１】
本発明は、外窓と内窓を備えた二重窓に関する。
【背景技術】
【０００２】
建築物の開口部における防音のため、二重窓が用いられている。二重窓は、建築物の開口部に設置されて、二重構造の窓（外窓、内窓）により遮音性を確保する。また、従来、外側のサッシ戸と内側のサッシ戸の間の内面に吸音性を持たせた二重窓の構造が知られている（特許文献１参照）。
【０００３】
ところが、特許文献１に記載された従来の二重窓では、サッシ枠の内面に吸音材を取り付け、或いは、サッシ枠の内面に吸音構造を設けている。そのため、二重窓の構造が複雑になることがあり、二重窓の施工の手間が増加する虞がある。また、サッシ枠とサッシ戸の框での音の透過により、二重窓の遮音性に影響が生じる虞もある。特に、金属製のサッシ枠と框では、振動減衰性が小さく、サッシ枠やサッシ戸の固定が弱い場合に、枠が響くことで、二重構造の窓のガラス板が持つ遮音性が発揮されないことがある。
【先行技術文献】
【特許文献】
【０００４】
【特許文献１】特開２００２−６１４６５号公報
【発明の概要】
【発明が解決しようとする課題】
【０００５】
本発明は、前記従来の問題に鑑みなされたもので、その目的は、外窓と内窓を備えた二重窓の構成が複雑になるのを抑制しつつ、二重窓の遮音性を向上させることである。
【課題を解決するための手段】
【０００６】
本発明は、外窓と内窓を備えた二重窓である。前記外窓は、樹脂製の外枠と、樹脂製の外框により外パネル体を囲んだ状態で前記外枠の開口部に配置される外障子と、を有する。前記内窓は、樹脂製の内枠と、樹脂製の内框により内パネル体を囲んだ状態で前記内枠の開口部に配置される内障子と、を有する。二重窓は、ＪＩＳ  Ａ４７０６：２０１５に準拠する遮音等級Ｔ−３等級に合格する。
【発明の効果】
【０００７】
本発明によれば、外窓と内窓を備えた二重窓の構成が複雑になるのを抑制しつつ、二重窓の遮音性を向上させることができる。
【図面の簡単な説明】
【０００８】
【図１】本実施形態の二重窓の断面図である。
【図２】本実施形態の二重窓の断面図である。
【図３】実施例と比較例の遮音性の試験結果を示すグラフである。
【図４】実施例の遮音性の試験結果を示すグラフである。
【図５】実施例の遮音性の試験結果を示すグラフである。
【図６】実施例の遮音性の試験結果を示すグラフである。
【図７】実施例の遮音性の試験結果を示すグラフである。
【発明を実施するための形態】
【０００９】
本発明の二重窓の一実施形態について、図面を参照して説明する。
本実施形態の二重窓は、二重構造の遮音窓であり、防音のために用いられる。以下では、二重窓が二重の引違い窓を備えた開閉窓である場合を例にとり、二重窓について説明する。
【００１０】
図１、図２は、本実施形態の二重窓１の断面図であり、二重窓１の概略構成を示している。図１は、二重窓１を水平方向に切断した横断面図であり、図２は、二重窓１を垂直方向に切断した縦断面図である。
図示のように、二重窓１は、建築物１０の開口部１１に設置されて、建築物１０の室外と室内の間に配置される。また、二重窓１は、室外側に配置される外窓２と、室内側に配置される内窓３と、外窓２と内窓３により区画された内部空間４を備えている。二重窓１、外窓２、及び、内窓３は、建築物１０の方形状の開口部１１に対応して、室内側（室外側）からみて、方形状に形成されている。
【００１１】
外窓２は、室外側で開閉する引違い形式の開閉窓（外引違い窓）であり、内窓３は、室内側で開閉する引違い形式の開閉窓（内引違い窓）である。外窓２と内窓３は、建築物１０の開口部１１で並置され、対向して配置される。また、外窓２と内窓３が室内外方向に間隔を開けて配置されて、二重窓１の内部空間４が外窓２と内窓３の間に形成される。内部空間４は、外窓２と内窓３の間に位置する二重窓１の中間空気層である。
【００１２】
外窓２は、樹脂製の外枠２０と、外枠２０に開閉可能に連結された外障子３０を有する。外枠２０は、外窓２の方形状の開口枠（外窓枠）であり、合成樹脂により形成されている。また、外枠２０は、枠組みされた４つの枠材２１〜２３（上枠材２１、下枠材２２、及び、一対の縦枠材２３）を有し、取付部材２４（ここでは、ねじ）により、建築物１０の開口部１１を囲む縁材１２に取り付けられる。外枠２０が建築物１０の開口部１１に設置されて、一対の外障子３０が外枠２０の開口部２５に配置される。
【００１３】
一対の外障子３０は、外窓２の方形状の引違い障子（外窓障子）であり、室外側の第１外障子３０Ａと室内側の第２外障子３０Ｂからなる。一対の外障子３０は、外枠２０にスライド可能に支持され、水平方向にスライドして、外枠２０の開口部２５を開閉する。一対の外障子３０を閉じたときに、外枠２０の開口部２５が外障子３０により塞がれる。外障子３０（３０Ａ、３０Ｂ）は、樹脂製の外框４０と、外框４０に取り付けられた外パネル体３１を有する。
【００１４】
外框４０により外パネル体３１を囲んだ状態（外框４０により外パネル体３１を保持する状態）で、外障子３０が外枠２０の開口部２５に配置される。外框４０は、外窓２の方形状の框（外窓框）であり、合成樹脂により形成されている。また、外框４０は、枠組みされた４つの框材４１〜４３（上框材４１、下框材４２、一対の縦框材４３）を有し、外パネル体３１の縁部に沿って配置される。
【００１５】
外パネル体３１は、外窓２の方形状のパネル体（外窓パネル体）であり、外框４０の内側に嵌め込まれて、外框４０の開口部４４を塞ぐ。また、外パネル体３１は、１枚のパネル材を有する単層パネル、又は、複数枚のパネル材を有する複層パネルである。ここでは、外パネル体３１のパネル材はガラス板３２であり、外パネル体３１は２枚のガラス板３２を有する複層ガラスである。ガラス板３２は、ガラスのみからなる板、又は、ガラスと他の部材からなる板である。例えば、ガラス板３２は、単板ガラス、網入ガラス、又は、合わせガラスである。２枚のガラス板３２が間隔を開けて配置されて、空間３３が２枚のガラス板３２の間に形成される。空間３３は、外パネル体３１の内部に形成される。
【００１６】
内窓３は、樹脂製の内枠５０と、内枠５０に開閉可能に連結された内障子６０を有する。内枠５０は、内窓３の方形状の開口枠（内窓枠）であり、合成樹脂により形成されている。また、内枠５０は、枠組みされた４つの枠材５１〜５３（上枠材５１、下枠材５２、及び、一対の縦枠材５３）を有し、取付部材５４（ここでは、ねじ）により、開口部１１の縁材１２に取り付けられる。内枠５０が建築物１０の開口部１１に設置されて、一対の内障子６０が内枠５０の開口部５５に配置される。
【００１７】
一対の内障子６０は、内窓３の方形状の引違い障子（内窓障子）であり、室外側の第１内障子６０Ａと室内側の第２内障子６０Ｂからなる。一対の内障子６０は、内枠５０にスライド可能に支持され、水平方向にスライドして、内枠５０の開口部５５を開閉する。一対の内障子６０を閉じたときに、内枠５０の開口部５５が内障子６０により塞がれる。内障子６０（６０Ａ、６０Ｂ）は、樹脂製の内框７０と、内框７０に取り付けられた内パネル体６１を有する。
【００１８】
内框７０により内パネル体６１を囲んだ状態（内框７０により内パネル体６１を保持する状態）で、内障子６０が内枠５０の開口部５５に配置される。内框７０は、内窓３の方形状の框（内窓框）であり、合成樹脂により形成されている。また、内框７０は、枠組みされた４つの框材７１〜７３（上框材７１、下框材７２、一対の縦框材７３）を有し、内パネル体６１の縁部に沿って配置される。
【００１９】
内パネル体６１は、内窓３の方形状のパネル体（内窓パネル体）であり、内框７０の内側に嵌め込まれて、内框７０の開口部７４を塞ぐ。また、内パネル体６１は、１枚のパネル材を有する単層パネル、又は、複数枚のパネル材を有する複層パネルである。ここでは、内パネル体６１のパネル材はガラス板６２であり、内パネル体６１は１枚のガラス板６２を有する単層ガラスである。ガラス板６２は、ガラスのみからなる板、又は、ガラスと他の部材からなる板である。例えば、ガラス板６２は、単板ガラス、網入ガラス、又は、合わせガラスである。
【００２０】
本実施形態の二重窓１では、外枠２０、外框４０、内枠５０、及び、内框７０の全てが樹脂製の部材（樹脂部材）であり、遮音等級（遮音性）がＪＩＳ（日本工業規格）  Ａ４７０６：２０１５（規格番号：ＪＩＳ  Ａ４７０６、改正：２０１５年）に準拠する遮音等級のＴ−３等級に合格する。ここでは、二重窓１の遮音等級は、少なくともＴ−３等級に合格し、Ｔ−３等級、又は、Ｔ−４等級と判定される。金属部材では、振動（音響振動）の内部損失が小さく、枠や障子の固定が弱い場合に、枠が響くことで、遮音性が低下することがある。これに対し、樹脂部材での振動の内部損失は金属部材での振動の内部損失よりも大きく、樹脂部材では振動減衰性が高くなる。樹脂部材内で振動が減衰することで、音の透過が抑制されて、遮音性が高くなる。特に、樹脂部材は、高い周波数帯で、より高い遮音性を発揮する。振動減衰性に優れた樹脂部材を使用することで、枠や障子の固定を複雑にしなくても、二重窓１のＴ−３等級以上の等級への合格が可能となる。
【００２１】
以上説明したように、本実施形態の二重窓１では、遮音性を向上させて、建築物１０の開口部１１における防音性を向上させることができる。また、二重窓１の構造が複雑になるのを抑制して、簡単な構成で、遮音性の向上を図ることができる。特に、引違い窓では、枠と框の振動による音の透過が大きくなる傾向があり、遮音性を向上させるのが難しい。これに対し、本実施形態の二重窓１では、外窓２と内窓３が引違い窓であっても、遮音性を向上させることができる。
【００２２】
外パネル体３１の２枚のガラス板３２の厚さは、同じであってもよく、異なっていてもよい。ただし、２枚のガラス板３２の厚さが異なるときには、２枚のガラス板３２による音の共鳴が抑制されて、遮音性がより高くなる。また、２枚のガラス板３２の厚さの差が２ｍｍ以上であるときには、遮音性が更に高くなる。内パネル体６１の１枚のガラス板６２の厚さが３ｍｍ以上であるときには、ガラス板６２の振動減衰性がより高くなる。
【００２３】
従って、２枚のガラス板３２の厚さは異なるのが好ましく、２枚のガラス板３２の厚さの差は２ｍｍ以上であるのが好ましい。また、内パネル体６１の１枚のガラス板６２の厚さは３ｍｍ以上であるのが好ましい。このようにすることで、二重窓１の遮音性を、より確実に向上させることができる。二重窓１は、ＪＩＳ  Ａ４７０６：２０１５に準拠する遮音等級のＴ−４等級に合格する。
【００２４】
外パネル体３１と内パネル体６１の間隔（パネル間隔Ｋ）（図１参照）は、１５０ｍｍ以上であるのが好ましい。これにより、音響透過損失を大きくして、二重窓１の遮音性をより向上させることができる。二重窓１は、ＪＩＳ  Ａ４７０６：２０１５に準拠する遮音等級のＴ−４等級に合格する。パネル間隔Ｋは、外パネル体３１と内パネル体６１の対向面の間隔（距離）である。ここでは、パネル間隔Ｋは、第１外障子３０Ａの外パネル体３１と第１内障子６０Ａの内パネル体６１の間隔、及び、第２外障子３０Ｂの外パネル体３１と第２内障子６０Ｂの内パネル体６１の間隔である。
【００２５】
なお、外パネル体３１が１枚のガラス板であり、内パネル体６１が２枚のガラス板を有する複層ガラスであってもよい。即ち、外パネル体３１と内パネル体６１の一方が複層ガラスであり、外パネル体３１と内パネル体６１の他方が１枚のガラス板である。また、外パネル体３１と内パネル体６１の両方を複層ガラスにしてもよく、外パネル体３１と内パネル体６１の両方を１枚のガラス板にしてもよい。外窓２と内窓３は、引違い窓以外の開閉窓であってもよい。
【００２６】
（遮音性の評価試験）
本実施形態の二重窓１を用いた遮音性の試験により、二重窓１の遮音性を評価した。試験は、ＪＩＳに規定された「サッシ」（ＪＩＳ  Ａ４７０６：２０１５）、及び、「実験室における建築部材の空気音遮断性能の測定方法」（ＪＩＳ  Ａ１４１６：２０００）（規格番号：ＪＩＳ  Ａ１４１６、改正：２０００年）に基づいて行った。試験では、タイプＩ試験室（残響室）を用いて、１／３オクターブ中心周波数（Ｈｚ）における音響透過損失（ｄＢ）を測定した。また、ＪＩＳ  Ａ４７０６：２０１５に規定された遮音等級（Ｔ−１〜Ｔ−４等級）に基づいて、二重窓１の遮音等級（遮音性）を判定した。
【００２７】
図３は、実施例と比較例の遮音性の試験結果を示すグラフであり、２つの試験結果（折れ線Ｇ１、Ｈ）を示している。折れ線Ｇ１は、実施例の二重窓１（実施品Ｇ１という）の試験結果であり、折れ線Ｈは、比較例の二重窓（比較品Ｈという）の試験結果である。また、図３のグラフでは、横軸が中心周波数（Ｈｚ）であり、縦軸が音響透過損失（ｄＢ）である。図３は、ＪＩＳ  Ａ４７０６：２０１５に規定されたＴ−３等級線とＴ−４等級線を示す。
【００２８】
実施品Ｇ１の外パネル体３１は、厚さが異なる２枚のガラス板３２（厚さ：３ｍｍ、５ｍｍ）を有する。２枚のガラス板３２の間隔は、１４ｍｍである。実施品Ｇ１の内パネル体６１は、１枚のガラス板６２（厚さ：５ｍｍ）である。パネル間隔Ｋは、５０ｍｍである。比較品Ｈでは、外枠２０、外框４０、内枠５０、及び、内框７０のみが実施品Ｇ１と相違しており、外枠２０、外框４０、内枠５０、及び、内框７０がアルミニウム合金製である。
【００２９】
図示のように、実施品Ｇ１の遮音性は比較品Ｈの遮音性よりも高く、実施品Ｇ１では遮音性が向上する。また、実施品Ｇ１の遮音等級はＴ−３等級以上であり、実施品Ｇ１はＴ−３等級に合格すると判定される。Ｔ−３等級では、１０００Ｈｚ以上の周波数（中心周波数）における音響透過損失が３５ｄＢ以上である。ここでは、実施品Ｇ１は、Ｔ−４等級に合格し、１０００Ｈｚ以上の周波数における実施品Ｇ１の音響透過損失は、４０ｄＢ以上である。
【００３０】
図４〜図７は、実施例の遮音性の試験結果を示すグラフであり、図３と同様に、試験結果（折れ線Ｇ２〜Ｇ９）を示している。折れ線Ｇ２〜Ｇ９は、それぞれ実施例の二重窓１（実施品Ｇ２〜Ｇ９という）の試験結果である。
【００３１】
実施品Ｇ２、Ｇ３（図４参照）の外パネル体３１は、厚さが同じ２枚のガラス板３２（厚さ：３ｍｍ）を有する。２枚のガラス板３２の間隔は、１６ｍｍである。実施品Ｇ２、Ｇ３の内パネル体６１は、１枚のガラス板６２（厚さ：３ｍｍ）である。実施品Ｇ２のパネル間隔Ｋは５０ｍｍであり、実施品Ｇ３のパネル間隔Ｋは２００ｍｍである。
【００３２】
実施品Ｇ４、Ｇ５（図５参照）の外パネル体３１は、厚さが同じ２枚のガラス板３２（厚さ：３ｍｍ）を有する。２枚のガラス板３２の間隔は、１６ｍｍである。実施品Ｇ４、Ｇ５の内パネル体６１は、１枚のガラス板６２（厚さ：５ｍｍ）である。実施品Ｇ４のパネル間隔Ｋは５０ｍｍであり、実施品Ｇ５のパネル間隔Ｋは２００ｍｍである。
【００３３】
実施品Ｇ６、Ｇ７（図６参照）の外パネル体３１は、厚さが異なる２枚のガラス板３２（厚さ：３ｍｍ、５ｍｍ）を有する。２枚のガラス板３２の間隔は、１４ｍｍである。実施品Ｇ６、Ｇ７の内パネル体６１は、１枚のガラス板６２（厚さ：３ｍｍ）である。実施品Ｇ６のパネル間隔Ｋは５０ｍｍであり、実施品Ｇ７のパネル間隔Ｋは２００ｍｍである。
【００３４】
実施品Ｇ８、Ｇ９（図７参照）の外パネル体３１は、厚さが異なる２枚のガラス板３２（厚さ：３ｍｍ、５ｍｍ）を有する。２枚のガラス板３２の間隔は、１４ｍｍである。実施品Ｇ８、Ｇ９の内パネル体６１は、１枚のガラス板６２（厚さ：５ｍｍ）である。実施品Ｇ８のパネル間隔Ｋは５０ｍｍであり、実施品Ｇ９のパネル間隔Ｋは２００ｍｍである。
【００３５】
図示のように、実施品Ｇ２〜Ｇ９の遮音等級はＴ−３等級以上であり、実施品Ｇ２〜Ｇ９はＴ−３等級に合格すると判定される（図４〜図７参照）。１０００Ｈｚ以上の周波数における実施品Ｇ２〜Ｇ９の音響透過損失は、４０ｄＢ以上である。このように、実施品Ｇ２〜Ｇ９は、高い遮音性を発揮する。
【００３６】
実施品Ｇ６〜Ｇ９（図６、図７参照）では、外パネル体３１の２枚のガラス板３２の厚さの差が２ｍｍ以上であり、内パネル体６１の１枚のガラス板６２の厚さが３ｍｍ以上である。実施品Ｇ６〜Ｇ９の遮音等級はＴ−４等級以上であり、実施品Ｇ６〜Ｇ９はＴ−４等級に合格すると判定される。このように、実施品Ｇ６〜Ｇ９では、遮音性が確実に向上する。また、実施品Ｇ７、Ｇ９では、パネル間隔Ｋが１５０ｍｍ以上であり、遮音性がより向上する。特に、実施品Ｇ７、Ｇ９では、１０００Ｈｚ未満の周波数において、音響透過損失が大きくなり、遮音性が大きく向上する。
【符号の説明】
【００３７】
１・・・二重窓、２・・・外窓、３・・・内窓、４・・・内部空間、１０・・・建築物、１１・・・開口部、１２・・・縁材、２０・・・外枠、２１・・・上枠材、２２・・・下枠材、２３・・・縦枠材、２４・・・取付部材、２５・・・開口部、３０・・・外障子、３１・・・外パネル体、３２・・・ガラス板、３３・・・空間、４０・・・外框、４１・・・上框材、４２・・・下框材、４３・・・縦框材、４４・・・開口部、５０・・・内枠、５１・・・上枠材、５２・・・下枠材、５３・・・縦枠材、５４・・・取付部材、５５・・・開口部、６０・・・内障子、６１・・・内パネル体、６２・・・ガラス板、７０・・・内框、７１・・・上框材、７２・・・下框材、７３・・・縦框材、７４・・・開口部。
【図１】
2017218745.tif 000003
【図２】
2017218745.tif 000004
【図３】
2017218745.tif 000005
【図４】
2017218745.tif 000006
【図５】
2017218745.tif 000007
【図６】
2017218745.tif 000008
【図７】
2017218745.tif 000009